(57)【要約】【課題】ユーザ情報の追加または変更に際し、特定または全ての装置にそのユーザ情報を反映させることにより、操作性とセキュリティを高めたユーザ登録機能を有する装置を提供する。【解決手段】所定のユーザ情報に基づきアクセスするユーザを特定するユーザ登録機能を有する装置において、前記ユーザ情報が追加または変更された場合に、他の装置にこのユーザ情報を送信するユーザ情報送信部と、前記他の装置から追加または変更されたユーザ情報が送信された場合に、このユーザ情報を取得するユーザ情報受信部と、を有することを特徴とするユーザ登録機能を有する装置。【選択図】        図１
2004362402.tif 000002
【特許請求の範囲】
【請求項１】
所定のユーザ情報に基づきアクセスするユーザを特定するユーザ登録機能を有する装置において、
前記ユーザ情報が追加または変更された場合に、他の装置にこのユーザ情報を送信するユーザ情報送信部と、
前記他の装置から追加または変更されたユーザ情報が送信された場合に、このユーザ情報を取得するユーザ情報受信部と、
を有することを特徴とするユーザ登録機能を有する装置。
【請求項２】
前記ユーザ情報送信部は、予め設定された送信先に送信することを特徴とする請求項１に記載のユーザ登録機能を有する装置。
【請求項３】
前記送信先は、ユーザ情報に対して個別に設定されることを特徴とする請求項２に記載のユーザ登録機能を有する装置。
【請求項４】
前記ユーザ情報に、装置を特定する情報を付加して送信することを特徴とする請求項１乃至請求項３のいずれかに記載のユーザ登録機能を有する装置。
【請求項５】
前記装置を特定する情報は、装置のシリアル番号であることを特徴とする請求項４に記載のユーザ登録機能を有する装置。
【請求項６】
前記装置を特定する情報は、ＭＡＣアドレス、ＩＰアドレスまたはホスト名であることを特徴とする請求項４に記載のユーザ登録機能を有する装置。
【請求項７】
前記装置を特定する情報は、通信で使われるアドレス番号であることを特徴とする請求項４に記載のユーザ登録機能を有する装置。
【発明の詳細な説明】
【０００１】
【発明の属する技術分野】
本発明は、ユーザ登録機能を有する装置に関し、特にネットワーク上の複数の装置に対してユーザ情報の追加や変更を反映させる機能に関するものである。
【０００２】
【従来の技術】
従来、所定のユーザ情報を予め装置に設定しておき、この情報と入力された情報とを照会して合致した場合に、装置の操作を許可するユーザ登録機能を有する装置として、測定装置が知られている。
このような測定装置には、収集した測定データを適切に管理するため、操作した人、操作した日時、操作内容などの操作履歴を電子データとして保存するものがある。
【０００３】
そして、この測定装置を操作する人を特定するため、ユーザ名、ユーザＩＤおよびパスワードなどのユーザ情報を測定装置に設定しユーザ登録する。
操作する人は、ユーザ名、ユーザＩＤおよびパスワードを入力し、全てが一致する場合に装置にログインすることができ、装置を操作することが可能となる（例えば特許文献１。）。
【０００４】
従来におけるユーザ登録機能を有する装置として、上述の測定装置を例にあげて図を用いて説明する。
図３は、従来におけるユーザ登録機能を有する測定装置の一例を示した構成図である。
【０００５】
図３において、制御部１１は、装置全体の制御を司り、ユーザ登録部１２においてキー操作などにより入力されたユーザ名、ユーザＩＤ、パスワードからなるユーザ情報をユーザ情報記憶部１３に格納する。
また、制御部１１は、ユーザが装置へのログインを行わない限り、装置に対する全ての操作を受け付けない。
【０００６】
ログイン操作部１４は、ユーザが装置へのログインを行うために、キー操作やネットワークから通信部１９を介して通信コマンドによりユーザ情報が入力されると、所定の信号により装置へのログイン要求を発生する。
【０００７】
ログイン可否判定部１５は、ログイン要求が発生した場合、ユーザ情報記憶部１３に保存されているユーザ情報とログイン操作部１４に入力されたユーザ情報とを比較して、これらの情報が一致していた場合に、装置へのログインを許可する。
通信部１９は、イーサネット（登録商標）などのネットワークに接続され、外部装置とデータのやり取りを行う。その他の通信方式として、ＲＳ４２２／４８５などのシリアル通信またはＧＰ−ＩＢなどのパラレル通信などの場合もある。
【０００８】
測定部１７は、許可されたユーザによるメモリスタートの操作により、電圧などの入力信号をディジタル変換して図示しないメモリなどの記憶媒体に格納し、測定データを収集する。そして、このときの操作履歴が記憶媒体に格納される。
上記各部はバス１８により接続され、バス１８を介して装置内部でデータのやり取りを行う。
また、図示しないが、測定結果やログインに係る操作情報や各種の設定情報などを表示するＣＲＴやＬＣＤなどからなる表示器を備えている。
【０００９】
今日では、ネットワークに複数の装置が接続されるようになったが、ユーザ情報記憶部とユーザ登録部を、装置ごとに持っているため、複数の装置を使用する場合に、装置ごとにユーザ情報を設定する必要がある。そのため、ユーザ登録に多くの工数が必要となる。
【００１０】
これに対しては、ネットワークに接続された複数の装置は、そのネットワーク上にユーザ情報を管理するサーバを設置して、ログイン時にサーバにユーザ情報を送り、ログイン可否の判断をサーバに行わせることが一般的である。この場合、装置側には、ユーザ情報は持たない。これを図に示して説明する。
【００１１】
図４は、従来の装置が複数台ネットワークに接続された様子を示した説明図である。
装置４２，装置４３，装置４４は、例えば測定装置であり、ネットワーク４５に接続されている。
さらに、ネットワーク４５にサーバ４１を接続して、このサーバ４１に装置４２，４３，４４の操作を許可するユーザのユーザ情報を設定してユーザ登録し、管理させる。
【００１２】
ユーザが装置４２，４３，４４へログインするには、破線矢印で示したように、これら装置のログイン操作部を介してユーザが入力したユーザ情報を、装置がサーバ４１にネットワーク４５を介して送信する。サーバ４１では、受信したユーザ情報と設定されているユーザ情報とが一致したか否かによりログイン可否の判断を行う。
従って、装置４２，４３，４４は、ユーザ情報を持たない。
【００１３】
【特許文献１】
特開２００１−６６１５９号公報
【００１４】
【発明が解決しようとする課題】
このような、ネットワークに接続された装置からは、ネットワーク上に頻繁にユーザ情報が流されることになり、セキュリティが弱くなる。
例えば、医薬品業界向けなどの生産プロセスに係わる測定装置には、厳格な測定データなどの管理が要求されるため、サーバに登録されているユーザ情報を全て読み出して測定データと共に記録する必要が発生する。そのため、不要なユーザ情報もネットワーク上を流れることがあり、セキュリティ上好ましくない。
【００１５】
さらに、測定装置のように自立して動く必要のある装置の場合には、ネットワークが切れたりサーバがダウンしたりすると末端の装置の操作ができなくなるため、信頼性が低くなる。
加えて、サーバ上で、特定の装置のみ操作するユーザと、全ての装置を操作するユーザの区別をすることが困難であるという問題があった。
【００１６】
本発明は上述した問題点を解決するためになされたものであり、ユーザ情報の追加または変更に際し、特定または全ての装置にそのユーザ情報を反映させることにより、操作性とセキュリティを高めたユーザ登録機能を有する装置を提供することを目的とする。
【００１７】
【課題を解決するための手段】
本発明は次の通りの構成になったユーザ登録機能を有する装置である。
【００１８】
（１）  所定のユーザ情報に基づきアクセスするユーザを特定するユーザ登録機能を有する装置において、
前記ユーザ情報が追加または変更された場合に、他の装置にこのユーザ情報を送信するユーザ情報送信部と、
前記他の装置から追加または変更されたユーザ情報が送信された場合に、このユーザ情報を取得するユーザ情報受信部と、
を有することを特徴とするユーザ登録機能を有する装置。
【００１９】
（２）前記ユーザ情報送信部は、予め設定された送信先に送信することを特徴とする（１）に記載のユーザ登録機能を有する装置。
【００２０】
（３）前記送信先は、ユーザ情報に対して個別に設定されることを特徴とする（２）に記載のユーザ登録機能を有する装置。
【００２１】
（４）前記ユーザ情報に、装置を特定する情報を付加して送信することを特徴とする（１）乃至（３）のいずれかに記載のユーザ登録機能を有する装置。
【００２２】
（５）前記装置を特定する情報は、装置のシリアル番号であることを特徴とする（４）に記載のユーザ登録機能を有する装置。
【００２３】
（６）  前記装置を特定する情報は、ＭＡＣアドレス、ＩＰアドレスまたはホスト名であることを特徴とする（４）に記載のユーザ登録機能を有する装置。
【００２４】
（７）  前記装置を特定する情報は、通信で使われるアドレス番号であることを特徴とする（４）に記載のユーザ登録機能を有する装置。
【００２５】
【発明の実施の形態】
図１は本発明の一実施例を示した構成図である。
尚、本実施例も従来例と同様に測定装置を例として説明するものであり、図１で前出の図と同様のものは同様の符号を付けてその部分の説明は省略する。
【００２６】
図１において、制御部１は、装置全体の制御を司り、ユーザ登録部１２においてキー操作などにより入力されたユーザ名、ユーザＩＤ、パスワードからなるユーザ情報をユーザ情報記憶部５に格納する。
【００２７】
ユーザ情報送信部２は、新たにユーザが登録されたり、登録されているユーザのユーザ情報が変更されたりした場合、制御部１の指示によりユーザ情報送信先記憶部３に予め登録されている送信先に、追加または変更されたユーザ情報を通信部１９を介して送信する。
【００２８】
送信先の情報は、イーサネット（登録商標）による通信の場合では、ＩＰアドレス（Ｉｎｔｅｒｎｅｔ  Ｐｒｏｔｏｃｏｌ  Ａｄｄｒｅｓｓ）やホスト名などを用いて、また、シリアル通信やパラレル通信ではアドレス番号を用いて、通信部１９で識別できる形で登録される。
【００２９】
本発明が適用された他の装置がネットワークに接続されていた場合、他の装置でユーザ情報が追加または変更されたときにユーザ情報が送信される。ユーザ情報受信部４は、この送信されたユーザ情報を通信部１９を介して受信し、制御部１がそのユーザ情報をユーザ情報記憶部５に格納する。このことを図に示して説明する。
【００３０】
図２は、本発明の装置が複数台ネットワークに接続された様子を示した説明図である。
図２おいて装置２１，２２，２３は、例えば本実施例の測定装置であり、ネットワーク２４を介して接続されている。実線矢印は、装置２１，２２，２３において追加または変更されたユーザ情報が相互に送受信される様子を示している。  例えば装置２１でユーザ情報の追加または変更が行われると装置２２，２３に対してそのユーザ情報を送信する。装置２２および装置２３においても同様の動作が行われる。
【００３１】
つまり、自身のユーザ情報が追加または変更された場合には、他の装置にそのユーザ情報を送信し、他の装置でユーザ情報が追加または変更された場合には、送信されてきたそのユーザ情報を取得して自身のユーザ情報記憶部に格納する。
従って、ネットワークに接続された複数の装置の内、１つの装置のユーザ情報が追加または変更された場合に、他の特定または全ての装置に、その追加または変更されたユーザ情報を反映させることができるユーザ登録システムが構築されることになる。
【００３２】
図１に戻り、ログイン可否判定部７は、ログイン操作部１４でログイン要求が発生した場合、ユーザ情報記憶部５に保存されているユーザ情報と、ログイン操作部１４に入力された情報を比較して、情報が一致していた場合、装置へのログインを許可する。
【００３３】
以上により、１台の装置にユーザ情報の追加や変更を行った場合に、他の装置にも同じユーザ情報を自動的に追加や変更することが可能になり、ユーザ登録の工数を削減することができる。
【００３４】
また、追加や変更されたユーザ情報に対して、その情報を送信するか否かを設定したり、その送信先を個別に設定したりすることにより、全ての装置を操作するユーザと特定の装置のみを操作するユーザとを区別して装置に登録することが可能となる。
【００３５】
つまり、図２に示したような複数の装置がネットワークに接続されている場合では、装置２１のユーザ情報が追加または変更された時に、そのユーザ情報を装置２２，２３両方に送信したり、装置２２または装置２３のみに送信したり、または、どちらにも送信しないなどを選択することができる。
【００３６】
例えば、装置へのユーザ登録数を３０人までとした場合に、Ｎｏ．１からＮｏ．２０のユーザは全ての装置を操作できるユーザとし、Ｎｏ．２１からＮｏ．３０のユーザは特定の装置のみ操作できるユーザとする。
【００３７】
この場合、Ｎｏ．１からＮｏ．２０のユーザ情報が書き換えられた場合のみ、ユーザ情報送信部でネットワーク上に送信することにすれば、特定の装置のみ操作できるユーザと、全ての装置を操作できるユーザを、容易に区別することができる。
【００３８】
さらに、１台の装置でパスワードを変更した場合に、全ての装置に反映されるので、パスワードの変更を忘れるなどして、装置ごとにパスワードが異なることがなくなる。
【００３９】
加えて、ネットワークを使用するのはユーザ情報の追加または変更の場合のみである。ログインの可否は装置が単独に行うので、ネットワークが切れるなどしても装置の操作などは継続して行うことができ、装置が自立して動作することが可能になる。各装置が自立して動作することで信頼性を上げることができる。
【００４０】
また、医薬品業界向けなどの厳格なデータ管理が要求される測定装置において、登録されているユーザ情報を電子データに格納する場合も、ユーザ情報を取得するために、サーバにアクセスする必要が無くなりセキュリティを強化できる。
【００４１】
尚、ユーザ情報送信部でユーザ情報を送信する際に、ＵＤＰ（Ｕｓｅｒ  Ｄａｔａｇｒａｍ  Ｐｒｏｔｏｃｏｌ）を用いてブロードキャストでネットワークにつながっている全ての装置に、同時にユーザ情報を配信することも可能である。この場合は、ユーザ情報送信先記憶部は不要になる。
また、ユーザ情報は、ユーザを特定するための情報であればよいので、ユーザ名とパスワードのみでもかまわない。
【００４２】
さらに、ユーザ情報の送信に際し、ユーザ情報を追加または変更した操作者のユーザ名と、変更を行った装置名および時刻を付加し、受信側ではこれらの情報を操作履歴として記憶すれば、どの装置で誰がいつユーザ情報の変更を行ったかをトレースすることが可能となる。
ここで、装置名は、装置と１対１で対応するように設定されたものであり、装置を判別できる情報であれば良い。
【００４３】
装置名の他に装置を特定する情報として、出荷時に装置に１対１で対応するように付加される通し番号（シリアル番号）を用いても良いし、イーサネット（登録商標）に接続される場合では、ＭＡＣアドレス（Ｍｅｄｉａ  Ａｃｃｅｓｓ  Ｃｏｎｔｒｏｌ  Ａｄｄｒｅｓｓ）、ＩＰアドレスまたはホスト名などを用いても良い。また、シリアル通信やパラレル通信などが行われる場合では、通信のアドレス番号を用いても良い。
これにより、装置を特定する情報が、操作履歴の中に自動的に取り込まれることになり作業性が向上する。
【００４４】
加えて、本実施例では、測定装置を例としたが、本発明の適用される対象を測定装置に限定するものではなく、測定装置以外の装置に適用することも可能である。
【００４５】
【発明の効果】
本発明によれば、以下のような効果がある。
【００４６】
請求項１に記載の発明によれば、ユーザ情報の追加または変更に際し、特定または全ての装置にそのユーザ情報を反映させることができる。
これにより、頻繁にネットワークにユーザ情報が流れることを防いでセキュリティを向上させることができる。
また、ネットワークに接続された状態でもログインの可否判断は装置が行うので自立した操作が可能となる。
さらに、他の装置に対して同じユーザ情報を自動的に追加または変更することが可能になるため、ユーザ登録の工数を削減することができる。
従って、セキュリティと操作性が向上する。
【００４７】
請求項２および請求項３に記載の発明によれば、追加や変更されたユーザ情報に対して、その情報を送信するか否かを設定したり、その送信先をユーザ情報に対して個別に設定したりすることにより、全ての装置を操作するユーザと特定の装置のみを操作するユーザとを区別して装置に登録することが可能となる。
【００４８】
請求項４に記載の発明によれば、ユーザ情報を追加または変更した操作者のユーザ名と、変更を行った装置名および時刻を操作履歴として記憶すれば、どの装置で、誰が、いつ、ユーザ情報の変更を行ったかをトレースすることが可能となる。
【００４９】
請求項５に記載の発明によれば、装置の特定情報としてシリアル番号を用いることにより、容易に装置を特定することができる。
【００５０】
請求項６に記載の発明によれば、装置の特定情報としてＭＡＣアドレス、ＩＰアドレスまたはホスト名などを用いることにより、容易に装置を特定することができると共に自動的に操作履歴に取り込むことができ操作性が向上する。
【００５１】
請求項７に記載の発明によれば、装置の特定情報として通信のアドレス番号を用いることにより、容易に装置を特定することができると共に自動的に操作履歴に取り込むことができ操作性が向上する。
【００５２】
【図面の簡単な説明】
【図１】本発明の一実施例を示した構成図である。
【図２】本発明の装置が複数台ネットワークに接続された様子を示した説明図である。
【図３】従来におけるユーザ登録機能を有する測定装置の一例を示した構成図である。
【図４】従来の装置が複数台ネットワークに接続された様子を示した説明図である。
【符号の説明】
１  制御部
２  ユーザ情報送信部
３  ユーザ情報送信先記憶部
４  ユーザ情報受信部
５  ユーザ情報記憶部
７  ログイン可否判定部
１２  ユーザ登録部
１４  ログイン操作部
１９  通信部
【図１】
2004362402.tif 000003
【図２】
2004362402.tif 000004
【図３】
2004362402.tif 000005
【図４】
2004362402.tif 000006